(57)【要約】【課題】空気を渦輪状態して間欠的に吹き出すことができる空気吹出ユニットにおいて、その渦輪形成時の作動音を低減することを目的とする。【解決手段】円形の空気吹出口１３を備えた本体ケーシング１０内の空気室容積を、所定の容積可変手段１１，２１を用いて瞬時に変化させることにより、上記空気吹出口１３より空気を渦輪状態にして間欠的に吹き出すようにしてなる空気吹出ユニットにおいて、上記本体ケーシング１０内の上記容積可変手段１１，２１と上記空気吹出口１３との間に位置して、上記空気吹出口１３を覆う吸音材よりなる遮音壁１４を設け、上記容積可変手段１１，２１の空気室容積可変時の作動音が、上記空気吹出口１３から放出されないようにした。【選択図】　　　　図３
2004053102.tif 000002
【特許請求の範囲】
【請求項１】
円形の空気吹出口（１３）を備えた本体ケーシング（１０）内の空気室容積を、所定の容積可変手段（１１），（２１）を用いて瞬時に変化させることにより、上記空気吹出口（１３）より空気を渦輪状態にして間欠的に吹き出すようにしてなる空気吹出ユニットにおいて、上記本体ケーシング（１０）内の上記容積可変手段（１１），（２１）と上記空気吹出口（１３）との間に位置して、上記空気吹出口（１３）を覆う吸音材よりなる遮音壁（１４）を設け、上記容積可変手段（１１），（２１）の空気室容積可変時の作動音が、上記空気吹出口（１３）から放出されないようにしたことを特徴とする空気吹出ユニット。
【請求項２】
円形の空気吹出口（１３）を備えた本体ケーシング（１０）内の空気室容積を、所定の容積可変手段（１１），（２１）を用いて瞬時に変化させることにより、上記空気吹出口（１３）より空気を渦輪状態にして間欠的に吹き出すようにしてなる空気吹出ユニットにおいて、上記空気吹出口（１３）は、円筒状をなすとともに、その外周囲に、当該空気吹出口（１３）の空気吹出側外周囲から上記本体ケーシング（１０）内空気室に連通する円形の空気還流通路（１２ｂ）を有して構成されていることを特徴とする空気吹出ユニット。
【請求項３】
空気還流通路（１２ｂ）は、本体ケーシング（１０）側円形の開口部の開口縁部（１２ａ）を、本体ケーシング（１０）内空気室方向に縮小方向への曲率変化をもたせながら逆漏斗形状に突出せしめて形成されていることを特徴とする請求項２記載の空気吹出ユニット。
【請求項４】
本体ケーシング（１０）内の容積可変手段（１１），（２１）と空気吹出口（１３）との間に位置して空気吹出口（１３）を覆う吸音材よりなる遮音壁（１４）を設け、容積可変手段（１１），（２１）の空気室容積可変時の作動音が、上記空気吹出口（１３）から放出されないようにしたことを特徴とする請求項２又は３記載の空気吹出ユニット。
【請求項５】
遮音壁（１４）は、所望の厚さの円板型構造をなし、その一面側を容積可変手段（１１），（２１）側に対応させるとともに、他面側を空気吹出口（１３）側に対応させて設けられていることを特徴とする請求項１又は４記載の空気吹出ユニット。
【請求項６】
遮音壁（１４）は、スカート部（１４ａ）を有したキャップ型構造をなし、その天板側を容積可変手段（１１），（２１）側に対応させるとともに、スカート部（１４ａ）側を空気吹出口（１３）側に対応させて設けられていることを特徴とする請求項１又は４記載の空気吹出ユニット。
【請求項７】
遮音壁（１４）は、さらに中央部に円柱部（１４ｂ）を有し、同円柱部（１４ｂ）を、空気吹出口（１３）内中央部に所定の間隔を保って嵌挿していることを特徴とする請求項１，４，５又は６記載の空気吹出ユニット。
【請求項８】
遮音壁（１４）は、その形状に対応して空気流の流れの方向が変化する部分を、滑らかなアール面に形成していることを特徴とする請求項６又は７記載の空気吹出ユニット。
【請求項９】
遮音壁（１４）のスカート部（１４ａ）は、同スカート部（１４ａ）と本体ケーシング（１０）および空気吹出口（１３）との距離が空気還流通路（１２ｂ）付近では小さく、それよりも空気流下流域では大きくなるような断面形状に形成されていることを特徴とする請求項６，７又は８記載の空気吹出ユニット。
【請求項１０】
空気調和機用室内機の空気吹出手段として空気調和装置に組み合わせて構成されていることを特徴とする請求項１，２，３，４，５，６，７，８又は９記載の空気吹出ユニット。
【発明の詳細な説明】
【０００１】
【発明の属する技術分野】
本願発明は、空気を渦輪状態にして吹き出す気体搬送手段としての空気吹出ユニットの構造に関するものである。
【０００２】
【従来の技術】
例えば空気が供給される空気室を形成する箱形の本体ケーシングの壁面部の一部をゴム膜等の弾性膜により形成し、該弾性膜を瞬間的に所定の打撃手段又は所定の音圧付与手段等所定のアクチュエータによって内外両方向に変形させることができるように構成するとともに、同本体ケーシングの他の壁面部に円形又は円筒状の空気吹出口を設け、上記弾性膜の内外両方向への順を追った短時間内（瞬時）の変形により、上記空気室内の容積を大から小、小から大に変化させて、上記空気吹出口から空気を渦輪状にして吹き出すようにした気体搬送手段としての空気吹出ユニットが、すでに提案されている（例えば特開平７−３３２７５０号公報参照）。
【０００３】
このような空気吹出ユニットによれば、温調空気や加湿空気等をスポット的に所定の目標位置に確実に搬送することが可能になる。
【０００４】
したがって、空気調和機等の空気吹出ユニットとしても有効なものとなる。
【０００５】
【発明が解決しようとする課題】
しかし、上記構成の場合、空気室容積可変手段としての上記空気吹出ユニットの弾性膜が打撃されるか、または音圧を受けて変形した時に、どうしても耳障りな振動音を発生する。従って、これが間欠的に繰り返されると、相当な騒音となり、空気調和機の空気吹出ユニット等室内装置として適用する時の障害となる。
【０００６】
また、上記空気吹出口で形成される渦輪は、その旋回力が大きいほど有効であり、搬送距離ものびる。しかし、上記従来の空気吹出ユニットの空気吹出口の構造では、単に円筒構造になっているだけで、上記弾性膜の内方への変形と外方への変形に対応した渦輪形成作用について、必ずしも詳細な検討がなされておらず、実際に有効な渦輪が形成されるか否かが明らかでない。同構成の場合、一般に速度勾配が緩やかであり、強い旋回成分の渦輪をつくりにくい。
【０００７】
本願発明は、これらの問題を解決するためになされたもので、空気室を形成する本体ケーシング内の容積可変手段等発音源と空気吹出口との間に位置して、発音源からの音を遮断、吸音する遮音壁を設けることにより、容積可変手段等発音源からの音を空気吹出口から放出されにくくし、また容積可変手段の容積可変動作に対応して効果的に渦輪を形成できる有効な空気吹出口構造を実現することによって、空気調和装置等に適した低騒音、高性能の空気吹出ユニットを提供することを目的とするものである。
【０００８】
【課題を解決するための手段】
本願発明は、上記の問題を解決するために、次のような各課題解決手段を備えて構成されている。
【０００９】
（１）　第１の課題解決手段
該第１の課題解決手段は、円形の空気吹出口１３を備えた本体ケーシング１０内の空気室容積を、所定の容積可変手段１１，２１を用いて瞬時に変化させることにより、上記空気吹出口１３より空気を渦輪状態にして間欠的に吹き出すようにしてなる空気吹出ユニットにおいて、上記本体ケーシング１０内の上記容積可変手段１１，２１と上記空気吹出口１３との間に位置して、上記空気吹出口１３を覆う吸音材よりなる遮音壁１４を設け、上記容積可変手段１１，２１の空気室容積可変時の作動音が、上記空気吹出口１３から放出されないようにしたことを特徴としている。
【００１０】
したがって、この構成では、容積可変手段１１，２１作動時に発生する作動音が、空気吹出口１３を覆う吸音材よりなる遮音壁１４によって遮音、吸音され、空気吹出口１３から直接放出されるようなことはなくなる。
【００１１】
もちろん、空気吹出口１３側への高速気流には、若干の内周壁面での反射干渉音を伴うが、該高速気流は、上記吸音材よりなる遮音壁１４の周囲面を迂回して流れるので、その過程で吸音ダンピングされて小さくなる。
【００１２】
したがって、間欠的に作動させた時にも、従来のものに比べて、遥かに騒音量を低減することができる。
【００１３】
（２）　第２の課題解決手段
該第２の課題解決手段は、円形の空気吹出口１３を備えた本体ケーシング１０内の空気室容積を、所定の容積可変手段１１，２１を用いて瞬時に変化させることにより、上記空気吹出口１３より空気を渦輪状態にして間欠的に吹き出すようにしてなる空気吹出ユニットにおいて、上記空気吹出口１３は、円筒状をなすとともに、その外周囲に、当該空気吹出口１３の空気吹出側外周囲から上記本体ケーシング１０内空気室に連通する円形の空気還流通路１２ｂを有して構成されていることを特徴としている。
【００１４】
先ず、容積可変手段１１，２１は、最初の容積縮小方向への作動時に、上記本体ケーシング１０内の空気室に導入されている空気の全体を相当の速度で瞬間的に押し出し、高速気流にして上記円筒状の空気吹出口１３に送る。
【００１５】
そして、同高速気流は、該円筒状の空気吹出口１３部分において、中央部側では特に速く、外周側では相対的に遅い流速分布となって吹き出され、その出口部分では、内側から外側上方に旋回する流れを生じ、やがて、その旋回成分が増して、内側から外側に旋回する所定の直径の渦輪が形成される。
【００１６】
一方、この状態から、次に上記容積可変手段１１，２１は、以上とは逆の容積拡大方向に作動するので、それまで上記空気吹出口１３部分において下方に吹き出されようとしていた空気は、瞬間的に空気室内方向に吸引され、上記渦輪Ｃの内周側では内側から外側への旋回方向のベクトルとの間で、剪断力を伴い、上記発生した渦輪が上記空気吹出口１３部分での流れから断ち切られて完全に独立した渦輪となる。
【００１７】
そして、この場合、上記空気還流通路１２ｂがないとすると、上記渦輪は、上記それまでの旋回力成分によって旋回するのみである。
【００１８】
ところが、該構成では、上記空気吹出口１３は、円筒状をなしているとともに、その外周囲に、当該空気吹出口１３の空気吹出側外周囲から上記本体ケーシング１０内空気室に連通する円形の空気還流通路１２ｂを有して構成されているから、上記旋回流外周側の空気流が上記空気室方向への吸引作用で、より効率良く旋回するようになり、より旋回力の大きい安定した渦輪を形成することができるようになる。
【００１９】
そのため、より確実に、より遠くまで空気を運ぶことが可能となる。
【００２０】
（３）　第３の課題解決手段
該第３の課題解決手段は、上記第２の課題解決手段の構成において、空気還流通路１２ｂは、本体ケーシング１０側円形の開口部の開口縁部１２ａを、本体ケーシング１０内空気室方向に縮小方向への曲率変化をもたせながら逆漏斗形状に突出せしめて形成されていることを特徴としている。
【００２１】
このような構成によると、上記逆漏斗形状により、上記第２の課題解決手段の空気還流通路１２ｂによる空気室内への空気還流作用が、より効率良く、よりスムーズに行われるようになって、外周側旋回流の吸引作用が増大し、より効果的に渦輪の旋回成分を増大させることができる。
【００２２】
そのため、より確実に、より遠くまで空気を運ぶことが可能となる。
【００２３】
（４）　第４の課題解決手段
該第４の課題解決手段は、上記第２又は第３の各課題解決手段の構成において、本体ケーシング１０内の容積可変手段１１，２１と空気吹出口１３との間に位置して空気吹出口１３を覆う吸音材よりなる遮音壁１４を設け、容積可変手段１１，２１の空気室容積可変時の作動音が、上記空気吹出口１３から放出されないようにしたことを特徴としている。
【００２４】
したがって、このような構成では、上記第１の課題解決手段の場合と同様、容積可変手段１１，２１の作動時に発生する作動音が、空気吹出口１３を覆う吸音材よりなる遮音壁１４によって遮音、吸音され、空気吹出口１３から直接放出されるようなことはなくなる。
【００２５】
もちろん、空気吹出口１３側への高速気流には、若干の内周壁面での反射干渉音を伴うが、該高速気流は、上記吸音材よりなる遮音壁１４の周囲面を迂回して流れるので、その過程で吸音ダンピングされて小さくなる。
【００２６】
したがって、間欠的に作動させた時にも、従来のものに比べて、遥かに騒音量を低減することができる。
【００２７】
（５）　第５の課題解決手段
該第５の課題解決手段は、上記第１又は第４の各課題解決手段の構成において、遮音壁１４は、所望の厚さの円板型構造をなし、その一面側を容積可変手段１１，２１側に対応させるとともに、他面側を空気吹出口１３側に対応させて設けられていることを特徴としている。
【００２８】
したがって、このような構成では、容積可変手段１１，２１の作動時に発生する作動音が、空気吹出口１３を覆う吸音材よりなる円板型構造の遮音壁１４によって遮音、吸音され、空気吹出口１３から直接放出されるようなことはなくなる。
【００２９】
もちろん、空気吹出口１３側への高速気流には、若干の内周壁面での反射干渉音を伴うが、該高速気流は、上記吸音材よりなる円板型構造の遮音壁１４の周囲面を迂回して流れるので、その過程で吸音ダンピングされて小さくなる。
【００３０】
したがって、間欠的に作動させた時にも、従来のものに比べて、遥かに騒音量を低減することができる。
【００３１】
（６）　第６の課題解決手段
該第６の課題解決手段は、上記第１又は第４の各課題解決手段の構成において、遮音壁１４は、スカート部１４ａを有したキャップ型構造をなし、その天板側を容積可変手段１１，２１側に対応させるとともに、スカート部１４ａ側を空気吹出口１３側に対応させて設けられていることを特徴としている。
【００３２】
したがって、このような構成では、容積可変手段１１，２１の作動時に発生する作動音が、例えば若干嵌合状態にされるなどして、上述の空気吹出口１３を有効に覆う吸音材よりなるスカート部１４ａを備えたキャップ型構造の遮音壁１４によって、より確実に遮音、吸音されるようになり、空気吹出口１３から放出される音の量が大きく低減される。
【００３３】
もちろん、上記空気吹出口１３側への高速気流には、若干の内周壁面での反射干渉音を伴うが、該高速気流は、上記吸音材よりなるスカート部１４ａを有するキャップ型構造の遮音壁１４の上下外周囲面を上下に迂回して流れるので、その過程で、さらに吸音ダンピングされて小さくなる。
【００３４】
したがって、間欠的に連続して作動させた時にも、従来のものに比べて、遥かに生じる騒音量を低減することができる。
【００３５】
（７）　第７の課題解決手段
該第７の課題解決手段は、上記第１，第４，第５又は第６の各課題解決手段の構成において、遮音壁１４は、さらに中央部に円柱部１４ｂを有し、同円柱部１４ｂを、空気吹出口１３内中央部に所定の間隔を保って嵌挿していることを特徴としている。
【００３６】
したがって、このような構成では、同円柱部１４ｂによって、上記空気吹出口１３の空気吹出通路を外周側のみの幅の狭いスリーブ状の通路に変えることができ、空気吹出流自体をドーナツ状で流速の高いものとすることができるようになる。
【００３７】
そのため、全体しとて空気流量が多く、より旋回成分の大きい、効果的な渦輪を無駄な吹出気流を生じさせることなく、有効に形成することができる。
【００３８】
（８）　第８の課題解決手段
該第８の課題解決手段は、上記第６又は第７の課題解決手段の構成において、遮音壁１４は、その形状に対応して空気流の流れの方向が変化する部分を、滑らかなアール面に形成していることを特徴としている。
【００３９】
したがって、このような構成によると、渦輪形成のために空気吹出口１３に供給される気流が、遮音壁１４に沿って、より滑らかに流れるようになり、吸音作用および渦輪形成作用共に向上する。
【００４０】
（９）　第９の課題解決手段
該第９の課題解決手段は、上記第６，第７又は第８の各課題解決手段の構成において、遮音壁１４のスカート部１４ａは、同スカート部１４ａと本体ケーシング１０および空気吹出口１３との距離が空気還流通路１２ｂ付近では小さく、それよりも空気流下流域では大きくなるような断面形状に形成されていることを特徴としている。
【００４１】
したがって、このような構成によると、特に上記空気還流通路１２ｂ部分での還流気流の速度を、より効果的に増速させることができ、上記旋回成分増大作用を一層向上させることができる。
【００４２】
（１０）　第１０の課題解決手段
該第１０の課題解決手段は、当該空気吹出ユニットを、上記第１，第２，第３，第４，第５，第６，第７，第８又は第９の各課題解決手段の構成において、空気調和機用室内機の空気吹出手段として空気調和装置に組み合わせて構成されていることを特徴としている。
【００４３】
したがって、このような構成によると、冷暖房や除加湿、清浄、芳香付加等を行った所望の調和空気を、ユーザーの位置に、スポット的に確実に作用させることができるようになり、高性能の空気調和装置の提供が可能となる。
【００４４】
特に、暖房時の上昇しやすい暖気を確実に床面付近まで搬送し得るようになり、暖房効果を高くすることができる点で、メリットが大きい。
【００４５】
【発明の効果】
以上の結果、本願発明の空気吹出ユニットによれば、渦輪形成時の騒音が小さく、搬送距離の大きな、渦輪気流搬送型空気吹出ユニットを提供することができるようになる。
【００４６】
したがって、空気調和装置等室内装置に適用するのに、適したものとなる。
【００４７】
【実施の形態】
（実施の形態１）
先ず図１〜図３は、本願発明の実施の形態１に係る空気吹出ユニットの構成を示している。
【００４８】
図１は、同空気吹出ユニットを利用して天井埋込型空気調和装置を形成した場合の構成を、図２は同装置における空気吹出ユニット部分からの空気の吹出状態を、図３は同空気吹出ユニット部分の詳細な構造を、それぞれ示している。
【００４９】
先ず図１中において、符号１は空気吹出ユニット、２は空気調和対象である部屋、３は同部屋２上部の天井部、３ａは同天井部３上方の空気調和装置設置用の天井内空間、４は空気吸込口４ｄおよび空気吹出口４ｅを備えたケーシング４ａ内に熱交換器４ｂおよび送風機４ｃを設けて構成された空気調和機の室内機、５は同空気調和機の室外機、６は上記空気吹出ユニット１の空気導入口１０ａと上記室内機４の空気吹出口４ｅとをつなぐ送風パイプ、７は上記室内機４と室外機５の冷媒回路を相互につなぐ冷媒配管、８は空気調和空間である部屋２内の室内空間、Ｆは部屋２の床部である。
【００５０】
上記空気吹出ユニット１は、例えば図３に詳細に示されるように、箱形で上面側開口部に振動板（容積可変手段に対応）１１が設けられ、内部が空気室に形成された本体ケーシング１０を中心とし、その側壁部の上方部の一部に空気導入口１０ａが設けられている一方、底壁部１２の中央部には、同底壁部１２を基準として内側（上方側）に長く、外側（下方側）に短かい円筒状の空気吹出口１３が設けられている。
【００５１】
そして、同本体ケーシング１０の空気室内部には、上下方向略中間部に位置して、可聴帯域の音を効果的に吸音することができる吸音材（例えばグラスウールなど）により形成された遮音壁１４が設けられている。この遮音壁１４は、上記空気吹出口１３の直径よりも大きい直径の所望の厚さの円板構造をなし、その上面側を振動板１１に、下面側を空気吹出口１３に対向させ、かつ上記振動板１１と空気吹出口１３との間を周囲に十分な送風空間を保った状態で仕切り、振動板１１からの振動音（作動音）が直接空気吹出口１３から外部に放射されるのを防止するようになっている。
【００５２】
振動板１１は、従来同様の所定のアクチュエータにより間欠的に加振駆動されて、例えば先ず図示実線の状態から図示仮想線１１ａに示す状態に（上方から下方に）、次に図示仮想線１１ａの状態から図示実線の状態に復帰するように構成されている。
【００５３】
そして、上記図示実線の状態から図示仮想線の状態１１ａに瞬間的に変位する時に、上記本体ケーシング１０内の空気室容積を縮小し、それによって上記送風パイプ６を経て本体ケーシング１０内空気室に導入されている温調空気ａの全体を相当の速度で瞬間的に下方に押し下げ、加圧高速気流ｂにして上記円筒状の空気吹出口１３に送る。
【００５４】
この時、上記振動板１１からは同時に加圧変位音（音圧の高い振動音）が下方に向けて生じるが、該加圧変位音は上記空気吹出口１３を覆う吸音材よりなる遮音壁１４によって遮音されるとともに吸音ダンピングされて、音圧、音量が低下する。また、上記加圧高速気流ｂには、若干の内周壁面での反射干渉音を伴うが、該加圧高速気流ｂは、図示のように、上記吸音材よりなる遮音壁１４の上下外周囲面を迂回して、空気吹出口１３側に流れるので、その過程で、効果的にダンピングされて小さくなる。
【００５５】
そして、このようにして含有音が小さくなった加圧高速気流ｂは、上記円筒状の空気吹出口１３部分において、その中央部ｄ側では特に速く、外周側では相対的に遅い流速分布となって吹き出され、空気吹出口１３の出口部分では、内側から外側上方に旋回する流れを生じ、やがて、その旋回成分が増して、内側から外側に旋回する所定の直径の渦輪Ｃが形成される。
【００５６】
一方、この状態で、今度は上記振動板１１が図示仮想線１１ａの状態から、図示実線の状態に逆方向に変位して上記空気室内容積を拡大するので、上記空気吹出口１３部分において下方に吹き出されようとしていた空気は、破線の矢印ｅで示すように、瞬間的に上方に引き上げられ、上記渦輪Ｃの内周側では本来の内側から外側への旋回方向のベクトルとの間で、剪断力を伴い、また、上記渦輪Ｃの外周側では、渦輪の旋回力を強めることとなり、上記発生した渦輪Ｃが同空気吹出口１３部分での流れから断ち切られて完全に独立した渦輪Ｃとなって、以後の吹出空気と共に下方に吹き出されてゆくことになる。
【００５７】
そして、この動作が所定の時間間隔で、間欠的に繰り返されることにより、上記部屋２内の温調空間８内には、例えば図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の層となるので例えば床部Ｆ上のユーザーに対し、スポット的に確実で効率の良い空調を行うことができるようになる。
【００５８】
しかも、この実施の形態の場合、上述のように上記空気吹出ユニット１内には、吸音材よりなる遮音壁１４が空気吹出口１３を覆って設けられており、加圧高速流ｂ形成用の振動板１１からの音を確実に遮断、吸音するようになっているので、従来のような耳障りな加圧変位音（作動音）が、外部に放出されることを可及的に低減することができる。
【００５９】
以上のように、本実施の形態の空気吹出ユニットを、空気調和機用室内機の空気吹出手段として空気調和装置に組み合わせて構成すると、冷暖房や除加湿、清浄、芳香付加等を行った所望の調和空気を、床面のユーザーの位置に、スポット的に確実に作用させることができるようになり、高性能の空気調和装置の提供が可能となる。
【００６０】
その場合、特に、暖房時の上昇しやすい暖気を確実に床面付近まで搬送し得るようになり、暖房効果を高くすることができる点で、メリットが大きい。
【００６１】
なお、以上の場合、図示および説明は省略したが、上記本体ケーシング１０の空気導入口１０ａには、もちろん所定の開閉制御弁が設けられ、上記容積可変手段としての振動板１１が、図示実線の状態から、図示仮想線１１ａの状態、図示仮想線１１ａの状態から図示実線の状態に作動（変化）する間は、当該開閉弁を閉弁制御して対応する空気導入口１０ａを一時的に閉じるようになっていることは言うまでもない。
【００６２】
（実施の形態２）
次に図４は、本願発明の実施の形態２に係る空気吹出ユニットの構成を示している。
【００６３】
この実施の形態の空気吹出ユニット１は、例えば図４に詳細に示されるように、内部に空気室を形成した、箱形で、かつ上壁部１５側中央に空気導入口１０ａを設けた本体ケーシング１０を中心とし、その左右側壁部上方の対向部に上述のものと同様の振動板（容積可変手段に対応）１１，１１が設けられている一方、底壁部１２の中央部には、同底壁部１２を基準として内側（上方側）に長く、外側（下方側）に短かい円筒状の空気吹出口１３が設けられている。
【００６４】
そして、同本体ケーシング１０の内部には、上記振動板１１，１１の下端よりも低い上下方向略中間部に位置して、可聴帯域の音を効果的に吸音することができる吸音材（例えばグラスウールなど）により形成された遮音壁１４が設けられている。この遮音壁１４は、上記空気吹出口１３の直径よりも大きい直径の所望の厚さの円板型構造をなし、その上面側を上記振動板１１，１１側に対応させるとともに下面側を上記空気吹出口１３に対向させて、上記振動板１１，１１間と上記空気吹出口１３との間を周囲に十分な送風空間を保った状態で仕切り、上記振動板１１，１１からの振動音（作動音）が直接空気吹出口１３から外部に放射されるのを防止するようになっている。
【００６５】
振動板１１，１１は、それぞれ従来同様の所定のアクチュエータにより間欠的に加振駆動されて、例えば先ず図示実線の状態から図示仮想線１１ａに示す状態に（外方から内方に）、次に図示仮想線１１ａの状態から図示実線の状態に復帰するように構成されている。
【００６６】
そして、上記図示実線の状態から図示仮想線の状態１１ａに瞬間的に変位する時に、上記本体ケーシング１０内の空気室容積を縮小し、それによって上記送風パイプ６を経て本体ケーシング１０内空気室に導入されている温調空気ａの全体を相当の速度で瞬間的に下方に押し下げ、加圧高速気流ｂにして上記円筒状の空気吹出口１３部分に送る。
【００６７】
この時、上記振動板１１，１１からは同時に加圧変位音（音圧の高い振動音）が下方に向けて生じるが、該加圧変位音は上記空気吹出口１３を覆う吸音材よりなる遮音壁１４によって遮音されるとともに吸音ダンピングされて、音圧、音量が低下する。また、上記加圧高速気流ｂには、若干の内周壁面での反射干渉音を伴うが、該加圧高速気流ｂは、図示のように、上記吸音材よりなる遮音壁１４の上下外周囲面を迂回して、空気吹出口１３側に流れるので、その過程で、効果的にダンピングされて小さくなる。
【００６８】
そして、このようにして含有音が小さくなった加圧高速気流ｂは、上記円筒状の空気吹出口１３部分において、その中央部ｄ側では速く、外周側では相対的に遅い流速分布となって吹き出され、空気吹出口１３の出口部分では、図示のような内側から外側上方に旋回する流れを生じ、やがて、その旋回成分が増して、内側から外側に旋回する所定の直径の渦輪Ｃが形成される。
【００６９】
一方、この状態で、今度は上記振動板１１，１１が、それぞれ図示仮想線１１ａの状態から、図示実線の状態に逆方向に瞬間的に変位して上記空気室内容積を拡大するので、上記空気吹出口１３部分において下方に吹き出されようとしていた空気は、破線の矢印ｅで示すように、瞬間的に上方に引き上げられ、上記渦輪Ｃの内周側では本来の内側から外側への旋回方向のベクトルとの間で、剪断力を伴い、また、上記渦輪Ｃの外周側では、渦輪の旋回力を強めることとなり、上記発生した渦輪Ｃが上記空気吹出口１３部分での流れから断ち切られて完全に独立した渦輪Ｃとなって、以後の渦輪を形成しない通常の吹出空気と共に下方に吹き出されてゆくことになる。
【００７０】
そして、この動作が所定の時間間隔で、間欠的に繰り返されることにより、上記部屋２内の温調空間８内には、例えば図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の集中層となるので、例えば床部Ｆ上のユーザーに対し、スポット的に確実で効率の良い空調を行うことができるようになる。
【００７１】
しかも、この実施の形態の場合、上述のように上記空気吹出ユニット１内には、吸音材よりなる遮音壁１４が空気吹出口１３を覆って設けられており、加圧高速流形成用の振動板１１，１１からの音を確実に遮断、吸音するようになっているので、従来のような耳障りな作動音を可及的に低減することができる。
【００７２】
また、この実施の形態の場合、振動板１１，１１の振動方向が側面方向に対応しており、直接空気吹出口１３方向には対向しないように構成されているので、その構成自体としても放射音が出にくい利点がある。
【００７３】
なお、上記図４中では、上記振動板１１，１１を相互に同一水平軸上に対向するように設けているが、これは上下方向又は前後方向に相互に偏位させて設けることもでき、さらには非対向面間に設けることもできる。そして、それらの何れの場合にも全く同様の作用を得ることができる。
【００７４】
なお、以上の場合、図示および説明は省略したが、上記本体ケーシング１０の空気導入口１０ａには、もちろん所定の開閉制御弁が設けられ、上記容積可変手段としての振動板１１が、図示実線の状態から、図示仮想線１１ａの状態、図示仮想線１１ａの状態から図示実線の状態に作動（変化）する間は、当該開閉弁を閉弁制御して対応する空気導入口１０ａを一時的に閉じるようになっていることは言うまでもない。
【００７５】
（実施の形態３）
次に図５は、本願発明の実施の形態３に係る空気吹出ユニットの構成を示している。
【００７６】
この実施の形態の空気吹出ユニット１は、例えば図５に詳細に示されるように、内部に空気室を形成し、かつ箱形で、その上壁面側を昇降作動可能な加圧吸引プレート（容積可変手段に対応）２１とした本体ケーシング１０を中心とし、その側壁部上方部の一部に空気導入口１０ａが設けられている一方、底壁部１２の中央部には、同底壁部１２を基準として内側（上方側）に長く、外側（下方側）に短かい円筒状の空気吹出口１３が設けられている。
【００７７】
そして、同本体ケーシング１０の内部には、上下方向略中間部に位置して、可聴帯域の音を効果的に吸音することができる吸音材（例えばグラスウールなど）により形成された遮音壁１４が設けられている。この遮音壁１４は、上記空気吹出口１３の直径よりも大きい直径の所望の厚さの円板構造をなし、その上面側を上記加圧吸引プレート２１に、下面側を上記空気吹出口１３に各々対向させて、上記加圧吸引プレート２１と空気吹出口１３との間を周囲に十分な送風空間を保った状態で仕切り、上記加圧吸引プレート２１からの振動音（作動音）が直接空気吹出口１３から外部に放射されるのを防止するようになっている。
【００７８】
加圧吸引プレート２１は、高速作動型の電磁ポンプ等所定のアクチュエータにより間欠的に加圧吸引駆動（下降および上昇駆動）されて、例えば先ず図示実線の状態から図示仮想線２１ａに示す状態に（上方から下方に）、次に図示仮想線２１ａの状態から図示実線の状態に復帰するように構成されている。
【００７９】
そして、上記図示実線の状態から図示仮想線の状態２１ａに瞬間的に変位する時に、上記本体ケーシング１０内の空気室容積を平面方向の全体に均一に縮小し、それによって上記送風パイプ６を経て本体ケーシング１０内空気室に導入されている温調空気ａの全体を相当の速度で瞬間的に下方に押し下げ、上述の場合と同様の加圧高速気流ｂにして上記円筒状の空気吹出口１３部分に送る。
【００８０】
この時、上記加圧吸引プレート２１からは同時に加圧変位音（音圧の高い作動音）が下方に向けて生じるが、該加圧変位音は上記空気吹出口１３を覆う吸音材よりなる遮音壁１４によって遮音されるとともに吸音ダンピングされて、音圧、音量共に低下する。また、上記加圧高速気流ｂには、若干の内周壁面での反射干渉音を伴うが、該加圧高速気流ｂは、図示のように、上記吸音材よりなる遮音壁１４の上下外周囲面を迂回して流れるので、その過程で、効果的にダンピングされて小さくなる。
【００８１】
そして、このようにして含有音が小さくなった加圧高速気流ｂは、上記円筒状の空気吹出口１３部分において、その中央部ｄ側では速く、外周側では相対的に遅い流速分布となって吹き出され、空気吹出口１３の出口部分では、図示のような内側から外側上方に旋回する流れを生じ、やがて、その旋回成分が増して、内側から外側に旋回する所定の直径の渦輪Ｃが形成される。
【００８２】
一方、この状態で、今度は上記加圧吸引プレート２１が図示仮想線１１ａの状態から、図示実線の状態に逆方向に瞬間的に変位して空気室容積を拡大させるので、上記空気吹出口１３部分において下方に吹き出されようとしていた空気は、破線の矢印ｅで示すように、瞬間的に上方に引き上げられ、上記渦輪Ｃの内周側では内側から外側への旋回方向のベクトルとの間で、剪断力を伴い、また、上記渦輪Ｃの外周側では、渦輪の旋回力を強めることとなり、上記発生した渦輪Ｃが上記空気吹出口１３部分での流れから断ち切られて完全に独立した渦輪Ｃとなって、以後の吹出空気と共に下方に吹き出されてゆくことになる。
【００８３】
そして、この動作が所定の時間間隔で、間欠的に繰り返されることにより、上記部屋２内の温調空間８内には、例えば図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の集中層となるので例えば床部Ｆ上のユーザーに対し、スポット的に確実で効率の良い空調を行うことができるようになる。
【００８４】
しかも、この実施の形態の場合、上述のように容積可変手段が加圧吸引プレート２１により形成されているので、振動板１１に比べて作動音が生じにくい。しかも、上記空気吹出ユニット１内には、吸音材よりなる遮音壁１４が空気吹出口１３を覆って設けられており、加圧高速流形成用の加圧吸引プレート２１からの音を確実に遮断、吸音するようになっているので、従来のような耳障りな作動音を、より可及的に低減することができる。
【００８５】
なお、以上の場合、図示および説明は省略したが、上記本体ケーシング１０の空気導入口１０ａには、もちろん所定の開閉制御弁が設けられ、上記容積可変手段としての加圧吸引プレート２１が、図示実線の状態から、図示仮想線２１ａの状態、図示仮想線２１ａの状態から図示実線の状態に作動（変化）する間は、当該開閉弁を閉弁制御して対応する空気導入口１０ａを一時的に閉じるようになっていることは言うまでもない。
【００８６】
（実施の形態４）
次に図６は、本願発明の実施の形態４に係る空気吹出ユニットの構成を示している。
【００８７】
この実施の形態の空気吹出ユニット１は、例えば図６に詳細に示されるように、内部に空気室を有する、箱形で、上壁面側が振動板（容積可変手段に対応）１１により形成された本体ケーシング１０を中心とし、その側壁部上方部の一部に空気導入口１０ａが設けられている一方、底壁部１２の中央部には、同底壁部１２を基準として内側に長く、外側に短かい円筒状の空気吹出口１３が設けられている。
【００８８】
そして、同本体ケーシング１０の空気室内部には、上下方向略中間部に位置して、可聴帯域の音を効果的に吸音することができる吸音材（例えばグラスウールなど）により形成された遮音壁１４が設けられている。この遮音壁１４は、上記空気吹出口１３の直径よりも大きい直径の下方側に所定の長さのスカート部１４ａを備えた筒状キャップ型構造をなし、その天板側を振動板１１に、スカート部１４ａ側を若干嵌合させる形で空気吹出口１３側に、それぞれ対応させ、上記振動板１１と空気吹出口１３との間を周囲に十分な送風空間を保った状態で仕切り、それによって振動板１１からの振動音（作動音）が空気吹出口１３を通して外部に放射されるのを防止するようになっている。
【００８９】
振動板１１は、従来同様の所定のアクチュエータにより間欠的に加振駆動されて、例えば先ず図示実線の状態から図示仮想線１１ａに示す状態に（上方から下方に）、次に図示仮想線１１ａの状態から図示実線の状態に復帰するように構成されている。
【００９０】
そして、上記図示実線の状態から図示仮想線の状態１１ａに瞬間的に変位する時に、上記本体ケーシング１０内の空気室容積を縮小し、それによって上記送風パイプ６を経て本体ケーシング１０内空気室に導入されている温調空気ａの全体を相当の速度で瞬間的に下方に押し下げ、加圧高速気流ｂにして上記円筒状の空気吹出口１３部分に送る。
【００９１】
この時、上記振動板１１からは同時に加圧変位音（音圧の高い振動音）が下方に向けて生じるが、該加圧変位音は、その天板部およびスカート部１４ａによって上記空気吹出口１３を覆うキャップ構造の吸音材よりなる遮音壁１４によって確実に遮音されるとともに吸音ダンピングされて音圧、音量共に低下する。また、上記加圧高速気流ｂには、若干の内周壁面での反射干渉音を伴うが、該加圧高速気流ｂは、図示のように、上記キャップ構造の吸音材よりなる遮音壁１４の天板部側からスカート部１４ａまでの上下内外各外周面を上下Ｓ字状に迂回して流れるので、その過程で確実に吸音ダンピングされて相当に小さくなる。
【００９２】
そして、このようにして含有音が小さくなった加圧高速気流ｂは、上記円筒状の空気吹出口１３部分において、中央部ｄ側では速く、外周側では相対的に遅い流速分布となって吹き出され、空気吹出口１３の出口部分では、内側から外側上方に旋回する流れを生じ、やがて、その旋回成分が増して、内側から外側に旋回する所定の直径の渦輪Ｃが形成される。
【００９３】
一方、この状態で、今度は上記振動板１１が図示仮想線１１ａの状態から、図示実線の状態に逆方向に変位して空気室内容積を拡大するので、上記空気吹出口１３部分において下方に吹き出されようとしていた空気は、破線の矢印ｅで示すように、瞬間的に上方に引き上げられ、上記渦輪Ｃの内周側では本来の内側から外側への旋回方向のベクトルとの間で、剪断力を伴い、また、上記渦輪Ｃの外周側では、渦輪の旋回力を強めることとなり、上記発生した渦輪Ｃが上記空気吹出口１３部分での流れから断ち切られて完全に独立した渦輪Ｃとなって、以後の渦輪を形成しない通常の吹出空気と共に下方に吹き出されてゆくことになる。
【００９４】
そして、この動作が所定の時間間隔で、間欠的に繰り返されることにより、上記部屋２内の温調空間８内には、例えば前述の図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の集中層となるので例えば床部Ｆ上のユーザーに対し、スポット的に確実で効率の良い空調を行うことができるようになる。
【００９５】
しかも、この実施の形態の場合、上述のように、上記空気吹出ユニット１内には、スカート部１４ａを備えて全体としてキャップ構造をした吸音材よりなる遮音壁１４が空気吹出口１３を外方から若干嵌合するように覆って設けられており、加圧高速空気流ｂ形成用の振動板１１からの音を確実に遮断、吸音するようになっているので、従来のような耳障りな作動音を可及的有効に低減することができるようになる。
【００９６】
特に、この実施の形態の場合、該遮音壁１４は、さらに、上記スカート部１４ａを有して円筒状をなし、上記円筒状の空気吹出口１３の外周囲にスカート部１４ａが少し嵌合するように対応せしめられて上下方向にＳ字を描く送風用の迂回路を形成するようにしている。そして、同迂回路を形成するスカート部１４ａの内周面側下端部には、図示のように、加圧高速気流ｂが、水平方向下方から上方に回り込みやすいように滑らかなアール面Ｒが形成されている。
【００９７】
したがって、同構造によって、上記遮音壁１４による空気吹出口１３の遮音効果が、より高くなり、迂回時の吸音作用も向上する。また加圧高速気流ｂの流れのスムーズさも維持されて、渦輪形成作用も向上する。
【００９８】
なお、以上の場合、図示および説明は省略したが、上記本体ケーシング１０の空気導入口１０ａには、もちろん所定の開閉制御弁が設けられ、上記容積可変手段としての振動板１１が、図示実線の状態から、図示仮想線１１ａの状態、図示仮想線１１ａの状態から図示実線の状態に作動（変化）する間は、当該開閉弁を閉弁制御して対応する空気導入口１０ａを一時的に閉じるようになっていることは言うまでもない。
【００９９】
（実施の形態５）
次に図７は、本願発明の実施の形態５に係る空気吹出ユニットの構成を示している。
【０１００】
この実施の形態の空気吹出ユニット１は、例えば図７に詳細に示されるように、内部に空気室を有する箱形で、上面側が振動板１１（容積可変手段に対応）により形成された本体ケーシング１０を中心とし、その側壁部上方部の一部に空気導入口１０ａが設けられている一方、底壁部１２の中央部には、その開口縁部１２ａが、下方から上方に向けて次第に所定の曲率変化で縮小する逆漏斗形状のアール面を描いて内側に突出するように折り曲げられた空気吹出口嵌合用の円形の開口が設けられており、同開口に対して空気還流通路１２ｂを残した状態で、同底壁部１２を基準として内側（上方側）に長く、外側（下方側）に短かい円筒状の空気吹出口１３が設けられている。
【０１０１】
そして、同本体ケーシング１０の内部には、上下方向略中間部に位置して、可聴帯域の音を効果的に吸音することができる吸音材により形成された上記実施の形態４の同様のキャップ構造の遮音壁１４が設けられている。すなわち、この遮音壁１４は、上記空気吹出口１３の直径よりも大きい直径の下方側に所定の長さのスカート部１４ａを備えた筒状キャップ型構造をなし、その天板側を振動板１１に、スカート部１４ａ側を若干嵌合させる形で空気吹出口１３側に、それぞれ対応させ、上記振動板１１と空気吹出口１３との間を周囲に十分な送風空間を保った状態で仕切り、それによって振動板１１からの振動音（作動音）が空気吹出口１３を通して外部に放射されるのを防止するようになっている。
【０１０２】
振動板１１は、従来同様の所定のアクチュエータにより間欠的に加振駆動されて、例えば先ず図示実線の状態から図示仮想線１１ａに示す状態に（上方から下方に）、次に図示仮想線１１ａの状態から図示実線の状態に復帰するように構成されている。
【０１０３】
そして、上記図示実線の状態から図示仮想線の状態１１ａに瞬間的に変位する時に、辞し１０内の空気室容積を縮小し、それによって上記送風パイプ６を経て本体ケーシング１０内空気室に導入されている温調空気ａの全体を相当の速度で瞬間的に下方に押し下げ、加圧高速気流ｂにして上記円筒状の空気吹出口１３部分に送る。
【０１０４】
この時、上記振動板１１からは同時に加圧変位音（音圧の高い振動音）が下方に向けて生じるが、該加圧変位音は、そのスカート部１４ａによって上記空気吹出口１３を嵌合状態で覆うキャップ型構造の吸音材よりなる遮音壁１４によって遮音されるとともに吸音ダンピングされて音量も低下する。また、上記加圧高速気流ｂには、若干の内周壁面での反射干渉音を伴うが、該加圧高速気流ｂは、図示のように、上記キャップ型構造の吸音材よりなる遮音壁１４の天板部側からスカート部１４ａまでの上下内外各外周面を上下Ｓ字状に迂回して流れるので、その過程で効果的にダンピングされて小さくなる。
【０１０５】
そして、このようにして含有音が小さくなった加圧高速気流ｂは、上記円筒状の空気吹出口１３部分において、中央部ｄ側では速く、外周側では相対的に遅い流速分布となって吹き出され、空気吹出口１３の出口部分では、図示のような内側から外側上方に旋回する流れを生じ、やがて、その旋回成分が増して、内側から外側に旋回する所定の直径の渦輪Ｃが形成される。
【０１０６】
一方、この状態で、今度は上記振動板１１が図示仮想線１１ａの状態から、図示実線の状態に逆方向に変位して空気室内容積を拡大するので、上記空気吹出口１３部分において下方に吹き出されようとしていた空気は、破線ｅで示すように瞬間的に上方に引き上げられ、上記渦輪Ｃの内周側では本来の内側から外側への旋回方向のベクトルとの間で、剪断力を伴い、また、上記渦輪Ｃの外周側では、渦輪の旋回力を強めることとなり、上記発生した渦輪Ｃが上記空気吹出口１３部分での流れから断ち切られて完全に独立した渦輪Ｃとなって、以後の渦輪を形成しない通常の吹出空気と共に下方に吹き出されてゆくことになる。しかも、本実施の形態では、この時、上記空気吹出口１３の外周側には、前述のように逆漏斗形状の空気還流通路１２ｂが設けられているから、上記旋回流外周側の空気流が、同上方への吸引作用で、より効率良く旋回するように誘引されて旋回力を増す。
【０１０７】
そして、この動作が所定の時間間隔で、間欠的に繰り返されることにより、上記部屋２内の温調空間８内には、例えば前述の図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の集中層となるので例えば床部Ｆ上のユーザーに対し、スポット的に確実で効率の良い空調を行うことができるようになる。
【０１０８】
しかも、この実施の形態の場合、上述のように、上記空気吹出ユニット１内には、スカート部１４ａを備えて全体としてキャップ型構造をした吸音材よりなる遮音壁１４が空気吹出口１３を外方から若干嵌合するように覆って設けられており、加圧高速流形成用の振動板１１からの音を確実に遮断、吸音するようになっているので、従来のような耳障りな作動音を可及的有効に低減することができる。
【０１０９】
また、この実施の形態の場合、該遮音壁１４は、さらに、上記スカート部１４ａを有して円筒状をなし、上記円筒状の空気吹出口１３の外周囲にスカート部１４ａが少し嵌合するように対応せしめられて上下方向にＳ字を描く送風用の迂回路を形成するようにしている。そして、同迂回路を形成するスカート部１４ａの内周面側下端部には、図示のように、加圧高速気流ｂが、水平方向下方から上方に回り込みやすいように滑らかなアール面Ｒが形成されている。
【０１１０】
したがって、同構造によって、上記遮音壁１４による空気吹出口１３の遮音効果が、より高くなり、迂回時の吸音作用も向上する。また加圧高速気流ｂの流れのスムーズさも維持されて、渦輪形成作用も向上する。
【０１１１】
また、上記空気吹出口１３の外周側には、上述のように、逆漏斗形状の空気還流通路１２ｂが設けられているから、上記旋回流外側の空気流が上方への吸引作用で、より効率良く旋回するようになり、より強く、より安定した渦輪Ｃを形成することができる。
【０１１２】
そのため、より確実に下方側床部Ｆまで温調空気を運ぶことが可能となる。
【０１１３】
なお、以上の場合、図示および説明は省略したが、上記本体ケーシング１０の空気導入口１０ａには、もちろん所定の開閉制御弁が設けられ、上記容積可変手段としての振動板１１が、図示実線の状態から、図示仮想線１１ａの状態、図示仮想線１１ａの状態から図示実線の状態に作動（変化）する間は、当該開閉弁を閉弁制御して対応する空気導入口１０ａを一時的に閉じるようになっていることは言うまでもない。
【０１１４】
（実施の形態６）
次に図８は、本願発明の実施の形態６に係る空気吹出ユニットの構成を示している。
【０１１５】
この実施の形態の空気吹出ユニット１は、例えば図８に詳細に示されるように、内部に空気室を有する、箱形で、上壁面側が振動板（容積可変手段に対応）１１により形成された本体ケーシング１０を中心とし、その側壁部上方部の一部に空気導入口１０ａが設けられている一方、底壁部１２の中央部には、同底壁部１２を基準として内側（上方側）に長く、外側（下方側）に短かい円筒状の空気吹出口１３が設けられている。
【０１１６】
そして、同本体ケーシング１０の空気室内部には、上下方向略中間部に位置して、可聴帯域の音を効果的に吸音することができる吸音材（例えばグラスウールなど）により形成された遮音壁１４が設けられている。この遮音壁１４は、上記実施の形態４，５のものと同様に、上記空気吹出口１３の直径よりも大きい直径の円筒状のスカート部１４ａを有して、上記円筒状の空気吹出口１３の外周囲に上下方向にＳ字を描く送風用の迂回路を形成するように対向して設けられている。そして、同スカート部１４ａの内周面側下端部には、加圧高速気流ｂが下方から上方に回り込みやすいように滑らかなアール面Ｒが形成されている。
【０１１７】
また、この実施の形態の場合、同遮音壁１４の中央部下面には、上記空気吹出口１３内に所定の間隔を保って嵌まり込む所定の直径、所定の長さの円柱部１４ｂが設けられており、該円柱部１４ｂが上記空気吹出口１３内の空気吹出通路を、スリーブ状の通路間隔の狭いものとするようになっている。
【０１１８】
そして、その天板側を上記振動板１１に対向させて、上記振動板１１と空気吹出口１３との間を、図示のように、その周囲に十分な送風空間を保った状態で仕切り、上記振動板１１からの振動音（作動音）が、空気吹出口１３から外部に放射されるのを、確実かつ有効に防止するようになっている。
【０１１９】
振動板１１は、従来同様の所定のアクチュエータにより間欠的に加振駆動されて、例えば先ず図示実線の状態から図示仮想線１１ａに示す状態に（上方から下方に）、次に図示仮想線１１ａの状態から図示実線の状態に復帰するように構成されている。
【０１２０】
そして、上記図示実線の状態から図示仮想線の状態１１ａに瞬間的に変位する時に、上記本体ケーシング１０内の空気室容積を縮小し、それによって上記送風パイプ６を経て本体ケーシング１０内空気室に導入されている温調空気ａの全体を相当の速度で瞬間的に下方に押し下げ、加圧高速気流ｂにして上記円筒状の空気吹出口１３部分に送る。
【０１２１】
この時、上記振動板１１からは同時に加圧変位音（音圧の高い振動音）が下方に向けて生じるが、該加圧変位音は、上記実施の形態４，５の場合と同様に、スカート部１４ａを有して上記空気吹出口１３を覆う吸音材よりなる遮音壁１４によって確実に遮音されるとともに吸音ダンピングされて音圧、音量共に低下する。また、上記加圧高速気流ｂには、若干の内周壁面での反射干渉音を伴うが、該加圧高速気流ｂは、図示のように、上記実施の形態４，５と同様のスカート部１４ａに加えて円柱部１４ｂを有した吸音材よりなる遮音壁１４の上下内外各外周面を迂回してＳ字状に流れるので、その過程で、効果的にダンピングされて、有効に小さくなる。
【０１２２】
そして、このようにして含有音が小さくなった加圧高速気流ｂは、中央部側に同円柱部１４ｂが嵌挿されて通路幅の狭いスリーブ状の空気吹出口となった当該上記円筒状の空気吹出口１３部分において、全体に速い流速分布のドーナツ状の流れとなってスムーズに吹き出され、空気吹出口１３の出口部分では、図示のような内側から外側上方に効率良く旋回する流れを生じ、やがて、その旋回成分が増して、内側から外側に十分に強く旋回する所定の直径の渦輪Ｃが形成される。
【０１２３】
一方、この状態で、今度は上記振動板１１が図示仮想線１１ａの状態から、図示実線の状態に逆方向に変位して上記空気室内容積を拡大するので、上記空気吹出口１３部分において下方に吹き出されようとしていた空気は、破線の矢印ｅで示すように、瞬間的に上方に引き上げられ、上記渦輪Ｃの内周側では本来の内側から外側への旋回方向のベクトルとの間で、剪断力を伴い、また、上記渦輪Ｃの外周側では、渦輪の旋回力を強めることとなり、上記発生した渦輪Ｃが同空気吹出口１３部分での流れから断ち切られて完全に独立した渦輪Ｃとなって、以後の渦輪を形成しない通常の吹出空気と共に下方に吹き出されてゆくことになる。
【０１２４】
そして、この動作が所定の時間間隔で、間欠的に繰り返されることにより、上記部屋２内の温調空間８内には、例えば前述の図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の集中層となるので例えば床部Ｆ上のユーザーに対し、スポット的に確実で効率の良い空調を行うことができるようになる。
【０１２５】
そして、この実施の形態の場合、上述のように、上記上記空気吹出ユニット１内には、上記のように、スカート部１４ａ、円柱部１４ｂを備えた吸音材よりなる遮音壁１４が空気吹出口１３を内外両方向から覆って設けられており、加圧高速気流ｂ形成用の振動板１１からの音を、上述のように確実に遮断、吸音するようになっているので、従来のような耳障りな作動音を、可及的有効に低減することができる。
【０１２６】
特に本実施の形態では、上記遮音壁１４の中央部下面には、上記空気吹出口１３内に所定の間隔を保って嵌挿された円柱部１４ｂが設けられており、該円柱部１４ｂが上記空気吹出口１３内の空気吹出通路を外周側のみに位置するスリーブ状の通路間隔の狭いものとしている。
【０１２７】
したがって、その結果、上記空気吹出口１３における外周側旋回流生成気流の流速が大幅にアップされ、旋回方向のベクトルが十分に大きくなって、より安定し、長持ちのする渦輪Ｃが形成されるようになる。そのため、より確実に下方側床部Ｆまで温調空気を運ぶことが可能となる。
【０１２８】
なお、以上の場合、図示および説明は省略したが、上記本体ケーシング１０の空気導入口１０ａには、もちろん所定の開閉制御弁が設けられ、上記容積可変手段としての振動板１１が、図示実線の状態から、図示仮想線１１ａの状態、図示仮想線１１ａの状態から図示実線の状態に作動（変化）する間は、当該開閉弁を閉弁制御して対応する空気導入口１０ａを一時的に閉じるようになっていることは言うまでもない。
【０１２９】
（実施の形態７）
次に図９は、本願発明の実施の形態７に係る空気吹出ユニットの構成を示している。
【０１３０】
この実施の形態の空気吹出ユニット１は、例えば図９に詳細に示されるように、内部に空気室を有する、箱形で、上壁面側が振動板（容積可変手段に対応する）１１により形成された本体ケーシング１０を中心とし、その側壁部上方部の一部に空気導入口１０ａが設けられている一方、底壁部１２の中央部には、上記実施の形態５の場合と同様に、その開口縁部１２ａが逆漏斗状に曲率を縮小させながら、アール面を描いて内側に折り曲げられた空気吹出口１３嵌合用の円形の開口が設けられており、同開口に対して所定幅の空気還流通路１２ｂを残した状態で、同底壁部１２を基準として内側（上方側）に長く、外側（下方側）に短かい円筒状の空気吹出口１３が設けられている。
【０１３１】
そして、同本体ケーシング１０の空気室内部には、上下方向略中間部よりも下方に位置して、可聴帯域の音を効果的に吸音することができる吸音材（例えばグラスウールなど）により形成された、図示のような構造の遮音壁１４が設けられている。この遮音壁１４は、基本的には、上記実施の形態６のものと同様の形状をしており、円筒状のスカート部１４ａを有して、上記円筒状の空気吹出口１３の外周囲に上下方向にＳ字を描く送風用の迂回路を形成するように嵌合対向して設けられている。しかし、同スカート部１４ａは、上記空気吹出口１３に対して一層深く嵌合され、その上面側肩部から下部の外周および同下部の内周から内周面天井部および次に述べる円柱部１４ｂ外周に到る外周面および内周面の全体を加圧高速気流ｂが上方から下方、下方から上方、上方から下方にＳ字状に回り込みやすいように滑らかなアール面Ｒ１〜Ｒ２〜Ｒ３に形成されている。
【０１３２】
また、上記スカート部１４ａの下端部は、上記実施の形態４〜６の場合に比べて、より底壁１２に近接し、かつ同下端部の上記アール面Ｒ２を形成している内周端は、上記空気還流通路１２ｂおよび空気吹出口１３の筒状壁部分に近接するように内径が小さく形成されている。
【０１３３】
また、同遮音壁１４の中央部下面には、上記実施の形態６と同様に上記空気吹出口１３内に所定の間隔を保って嵌まり込む円柱部１４ｂが設けられており、該円柱部１４ｂが上記空気吹出口１３内の空気吹出通路をスリーブ状の通路間隔の狭いものとするようになっている。
【０１３４】
そして、図９に示すような状態で、上記振動板１１と空気吹出口１３との間を周囲に十分な送風空間を保った状態で仕切り、振動板１１からの振動音（作動音）が、空気吹出口１３から外部に放射されるのを有効に防止するようになっている。
【０１３５】
振動板１１は、従来同様に所定のアクチュエータにより間欠的に加振駆動されて、例えば先ず図示実線の状態から図示仮想線１１ａに示す状態に（上方から下方に）、次に図示仮想線１１ａの状態から図示実線の状態に復帰するように構成されている。
【０１３６】
そして、上記図示実線の状態から図示仮想線の状態１１ａに瞬間的に変位する時に、上記本体ケーシング１０内の空気室容積を縮小し、それによって上記送風パイプ６を経て本体ケーシング１０内に空気室導入されている温調空気ａの全体を相当の速度で瞬間的に下方に押し下げ、加圧高速気流ｂにして上記円筒状の空気吹出口１３部分に送る。
【０１３７】
この時、上記振動板１１からは同時に加圧変位音（音圧の高い振動音）が下方に向けて生じるが、該加圧変位音は、上記のように空気吹出口１３を覆う吸音材よりなる遮音壁１４によって、有効に遮音されるとともに吸音ダンピングされて、音圧、音量が低下する。また、上記加圧高速気流ｂには、若干の内周壁面での反射干渉音を伴うが、該加圧高速気流ｂは、図示のように、上記吸音材よりなる遮音壁１４の上下外周面をＳ字状に迂回して、空気吹出口１３側に流れるので、その過程で効果的にダンピングされて小さくなる。
【０１３８】
そして、このようにして含有音が小さくなった加圧高速気流ｂは、上記遮音壁１４の円柱部１４ｂによって通路位置が外周側に寄せられ、かつスリーブ状に通路幅が狭くなった上記円筒状の空気吹出口１３部分において、全体に流速の速い流れとなって吹き出され、同空気吹出口１３の出口部分では、図示のような内側から外側上方に高速で旋回する流れを生じ、やがて、その旋回成分が更に増して、内側から外側に強く旋回する所定の直径の渦輪Ｃが形成される。
【０１３９】
一方、この状態で、今度は上記振動板１１が図示仮想線１１ａの状態から、図示実線の状態に逆方向に変位して上記空気室内容積を拡大するので、上記空気吹出口１３部分において下方に吹き出されようとしていた空気は、瞬間的に上方に引き上げられ、上記渦輪Ｃの内周側では本来の内側から外側への旋回方向のベクトルとの間で、剪断力を伴い、また、上記渦輪Ｃの外周側では、渦輪の旋回力を強めることとなり、上記発生した渦輪Ｃが同空気吹出口１３部分での流れから断ち切られて完全に独立した渦輪Ｃとなって、以後の渦輪を形成しない通常の吹出空気と共に下方に吹き出されてゆくことになる。そして、この時、上記空気吹出口１３の外周側には、上述のように上記実施の形態６と同様の空気還流通路１２ｂが設けられているから、上記旋回流外周側の空気流が上方への吸引作用で、より効率良く旋回するように誘引されるので、形成される渦輪Ｃは、さらに強いものとなる。
【０１４０】
そして、この動作が所定の時間間隔で、間欠的に繰り返されることにより、上記部屋２内の温調空間８内には、例えば前述の図１、図２に示すように、上記室内機４によって所望の温度に温調された空気よりなる渦輪Ｃ１，Ｃ２，Ｃ３，Ｃ４，Ｃ５が順次所定の間隔で、緩やかに吹き降ろされて行くようになり、下方側では次第に渦輪Ｃが拡散されて冷気又は暖気の集中層となるので例えば床部Ｆ上のユーザーに対し、スポット的に確実で効率の良い空調を行うことができるようになる。
【０１４１】
ところで、この実施の形態の場合、特に上記遮音壁１４は、その肩部およびスカート部外周面からスカート部下端外周部およびスカート部下端内周部、スカート部下端内周部からスカート部内周面および内周面天井部、内周面天井部から円柱部１４ｂの外周面に亘る略全面がアール面Ｒ１〜Ｒ２〜Ｒ３となった円筒状のスカート部１４ａを有して上記円筒状の空気吹出口１３の外周囲に上下方向に滑らかなＳ字を描く送風用の迂回路を形成している。したがって、遮音壁１４の上方から下方、下方から内周面上方、内周面上方から空気吹出口下方まで気流が極めて回り込みやすくなり、また滑らかに空気吹出口１３の出口方向に流れるようになる。
【０１４２】
したがって、上記遮音壁１４による空気吹出口１３の遮音効果が、より高くなるとともに、迂回時の吸音作用も向上する。しかも、同遮音壁１４を設けたことによる圧損も小さくて済む。
【０１４３】
また、その際、さらに上記遮音壁１４の中央部下面には、上記空気吹出口１３内に直接嵌まり込む円柱部１４ｂが設けられており、該円柱部１４ｂが上記空気吹出口１３内の空気吹出通路をスリーブ状の通路間隔の狭いものとしている。
【０１４４】
したがって、その結果、上記空気吹出口１３における外周側旋回流生成気流の流速が大幅にアップされ、旋回方向のベクトルが大きくなる。
【０１４５】
また、それに加えて上記空気吹出口１３の外周側には、前述のように空気還流通路１２ｂが設けられており、同空気還流通路１２ｂ付近で同通路１２ｂおよび空気吹出口１３の筒状壁に上記遮音壁１４のスカート部１４ａのアール面Ｒ２形状の下端部内周部分が近接するようになっているから、上記空気室内の空気還流通路１２ｂ付近の通路幅は狭くなり、加圧高速気流ｂの流速は増大して、空気還流通路１２ｂを通して空気が上方に誘引されやすくなり、上記旋回流外側の空気流が上方への強い吸引作用で、より効率良く旋回するようになる。また、同遮音壁１４の内側では、そのようにして導入された誘引気流と上記本来の加圧高速気流ｂとが２層状態の気流となって、上記天井面側アール面Ｒ３部分で再び下方にスムーズにユーターンせしめられて、上記スリーブ状の空気吹出口１３から高速で吹き出される。この時吹き出される空気流は、上記２層状態の気流の関係から、内側（円柱部１４ｂ側）の気流の流速の方が外側のもの（誘引気流）より大きい。したがって、空気吹出部では、同内側の高速の気流が外側の低速の気流を巻き込み、上記空気還流通路１２ｂによる誘引作用と相俟って、より安定し、より旋回力の強い長持ちのする渦輪Ｃが形成されるようになる。そのため、より確実に下方側床部Ｆまで温調空気を運ぶことが可能となる。
【０１４６】
なお、以上の場合、図示および説明は省略したが、上記本体ケーシング１０の空気導入口１０ａには、もちろん所定の開閉制御弁が設けられ、上記容積可変手段としての振動板１１が、図示実線の状態から、図示仮想線１１ａの状態、図示仮想線１１ａの状態から図示実線の状態に作動（変化）する間は、当該開閉弁を閉弁制御して対応する空気導入口１０ａを一時的に閉じるようになっていることは言うまでもない。
【図面の簡単な説明】
【図１】本願発明の実施の形態１に係る空気吹出ユニットを利用して天井埋込型空気調和装置を形成した場合の当該空気調和装置の構成を示す概略断面図である。
【図２】同装置における空気吹出ユニット部分からの空気の吹出状態を示す斜視図である。
【図３】同空気吹出ユニット部分の詳細な構造を示す断面図である。
【図４】本願発明の実施の形態２に係る空気吹出ユニットの構成を示す断面図である。
【図５】本願発明の実施の形態３に係る空気吹出ユニットの構成を示す断面図である。
【図６】本願発明の実施の形態４に係る空気吹出ユニットの構成を示す断面図である。
【図７】本願発明の実施の形態５に係る空気吹出ユニットの構成を示す断面図である。
【図８】本願発明の実施の形態６に係る空気吹出ユニットの構成を示す断面図である。
【図９】本願発明の実施の形態７に係る空気吹出ユニットの構成を示す断面図である。
【符号の説明】
１は空気吹出ユニット、２は部屋、３は天井部、４は室内機、５は室外機、６は送風パイプ、７は冷媒配管、８は温調空間、１０は本体ケーシング、１１は振動板、１２ａは開口縁部、１２ｂは空気還流通路、１３は空気吹出口、１４は遮音壁、１４ａはスカート部、１４ｂは円柱部、２１は加圧吸引プレートである。
【図１】
2004053102.tif 000003
【図２】
2004053102.tif 000004
【図３】
2004053102.tif 000005
【図４】
2004053102.tif 000006
【図５】
2004053102.tif 000007
【図６】
2004053102.tif 000008
【図７】
2004053102.tif 000009
【図８】
2004053102.tif 000010
【図９】
2004053102.tif 000011